(57)【要約】【課題】サイドライト方式バックライト方式において、液晶パネルの応答の遅れによる「ゴースト」の発生や輝度の面内差が無視できるほど少なく、高画質な動画表示が可能なアクティブマトリックス型液晶表示装置を実現できる照明装置を得ることを目的とする。【解決手段】この発明に係る液晶表示装置は、導光板と、導光板の側面に対向して配置された個別に点灯可能な光源とからなる組が並列配置されて一の面光源として構成された液晶パネル用の照明装置であって、導光板には、所定形状の光学構造が形成された透明シートが導光板の表面にそれぞれ貼り付けられて、複数の導光板が透明シートにより連結されて一体化されたことをされたものである。【選択図】図１
2012004071.tif 000002
【特許請求の範囲】
【請求項１】
導光板と、前記導光板の側面に対向して配置された個別に点灯可能な光源とからなる組が並列配置されてひとつの面光源として構成された液晶パネル用の照明装置であって、
前記導光板の裏面には、前記導光板の並列配置される方向と平行な方向に伸びる第一の光学構造が形成され、
前記光源の光軸方向に伸びる第二の光学構造が形成された透明シートが前記導光板の表面に貼り付けられて、複数の前記導光板が前記透明シートにより連結されて一体化されたことを特徴とする液晶パネル用の照明装置。
【請求項２】
導光板と、前記導光板の側面に対向して配置された個別に点灯可能な光源とからなる組が並列配置されてひとつの面光源として構成された液晶パネル用の照明装置であって、
前記導光板の並列配置される方向と平行な方向に伸びる第一の光学構造が形成された第一の透明シートが前記導光板の裏面に貼り付けられ、前記光源の光軸方向に伸びる第二の光学構造が形成された第二の透明シートが前記導光板の表面に貼り付けられて、複数の前記導光板が前記第一および第二の透明シートにより連結されて一体化されたことを特徴とする液晶パネル用の照明装置。
【請求項３】
導光板と、前記導光板の側面に対向して配置された個別に点灯可能な光源とからなる組が並列配置されてひとつの面光源として構成された液晶パネル用の照明装置であって、
液晶パネルの表示エリアの外の領域であって、前記光源と対向する前記導光板の入光面または前記導光板の裏面若しくは表面の少なくともいずれか一面に、前記複数の導光板を連結するための透明シートが貼り付けられて一体化され、
前記導光板の裏面に貼り付けられる透明シートは、前記導光板の並列配置される方向と平行な方向に伸びる第一の光学構造を備え、
前記導光板の表面に貼り付けられる透明シートは、前記光源の光軸方向に伸びる第二の光学構造を備えることを特徴とする液晶パネル用の照明装置。
【請求項４】
第一の光学構造は、プリズム形状またはシリンドリカルレンズであることを特徴とする請求項１から３のいずれか一つに記載の照明装置。
【請求項５】
第二の光学構造は、プリズム形状またはシリンドリカルレンズであることを特徴とする請求項１から３のいずれか一つに記載の照明装置。
【発明の詳細な説明】
【技術分野】
【０００１】
この発明は、照明装置、特に液晶ディスプレイのバックライトに関するものである。
【背景技術】
【０００２】
液晶ディスプレイは、大別して、照明装置（バックライト）と液晶表示素子とから構成されている。また、バックライトとしては、液晶表示装置のコンパクト化の観点からサイドエッジライト方式のものが多用されている。そして、エッジライト方式のバックライトは、主に光源と導光板とから構成されている。
【０００３】
近年、光源にLEDを採用するものがあり、LEDを光源とした液晶ディスプレイ用のバックライトの入光面にフレネルレンズ機能のプリズムを形成し、導光板に入射する光を平行光線にして帯状の点灯エリアを実現するものがあった（例えば、特許文献１参照）。
【０００４】
また、導光板について見ると、入射端面に垂直な方向に沿って分割された２つの導光板が並んで構成され、導光板が一体成形されていないものを導光板とすることで大面積の導光板を得る工夫があった（例えば、特許文献２参照）。
【０００５】
さらに、液晶パネルの応答の遅れによる「ゴースト」や「動きぼけ」の発生するが、この対策として、画像表示部を複数領域へと分割して照明することのできる光源を備え、各領域の液晶パネルの走査終了後一定の遅延期間を経てから照明し、高画質な動画表示を可能とする提案があった（例えば、特許文献３、４参照）。
【先行技術文献】
【特許文献】
【０００６】
【特許文献１】特開２００２−２８９０２３号公報
【特許文献２】特開２０００−３０５０７３号公報
【特許文献３】特開２００２−２０７４６３号公報
【特許文献４】特開２００９−０３１４４５号公報
【発明の概要】
【発明が解決しようとする課題】
【０００７】
従来の液晶パネルの応答の遅れ対策を具体的に検討等すると、LEDを光源とした液晶ディスプレイ用のバックライトの入光面にフレネルレンズ機能のプリズムを形成し、導光板に入射する光を平行光線にして帯状の点灯エリアを実現する方式の場合（例えば、特許文献１）、LEDと導光板の端面の間にフレネルレンズ機能のプリズムを形成する必要がある。ここで、導光板に入射した光の進路を入光端面に対し垂直にして帯状の点灯領域を実現しようとすると、有効表示エリアからLEDの発光面までの距離を大きくとる必要があるので、液晶ディスプレイとしては峡額縁化が出来ないという課題があった。
【０００８】
また、特許文献４のように、１枚の導光板に深い溝を形成することにより点灯領域を分ける方式の場合、帯状の点灯領域間の光の分離を良くするためにはこの溝を深くすることが必要で、これを射出成形で製造するためには、ある程度の幅が必要になり、溝の箇所には大きな輝度ムラが発生してしまう欠点がある。
一方、例えば特許文献２に示されるような構造、つまり、導光板が一体成形されておらず、入射端面２０に垂直な方向に沿って分割された２つが結合されて構成されている構造の場合は光の分離ができ、点灯エリア間の光の混入は防止できる。しかし、以下のような課題が新たに発生する問題がある。
（１）輸送中の振動や熱膨張収縮により導光板間の隙間が大きく開き、導光板間の境界が暗線として視認されてしまう。
（２）導光板の出光面や裏面に形成される光学構造が、端部において中央部と異なってしまうため、あるいは、隣り合う導光板の光学構造とずれるため、導光板間の境界が暗線や輝線として視認されてしまう。
（３）導光板間の光の混入が完全に無くなるため、点灯領域毎のLED間の輝度と色の違いが、点灯エリアの輝度と色の違いとして視認されてしまう。
【０００９】
そこで、本発明は、上記のような問題点を解決するためになされたものであり、サイドライト方式バックライト方式において、液晶パネルの応答の遅れによる「ゴースト」の発生や輝度の面内差が無視できるほど少なく、高画質な動画表示が可能なアクティブマトリックス型液晶表示装置を実現できる照明装置を得ることを目的としている。
【課題を解決するための手段】
【００１０】
この発明に係る液晶表示装置は、導光板と、導光板の側面に対向して配置された個別に点灯可能な光源とからなる組が並列配置されてひとつの面光源として構成された液晶パネル用の照明装置であって、導光板の裏面には、導光板の並列配置される方向と平行な方向に伸びる第一の光学構造が形成され、光源の光軸方向に伸びる第二の光学構造が形成された透明シートが導光板の表面に貼り付けられて、複数の導光板が前記透明シートにより連結されて一体化されたものであることを特徴とする。
【００１１】
また、この発明係る液晶表示装置は、導光板と、導光板の側面に対向して配置された個別に点灯可能な光源とからなる組が並列配置されてひとつの面光源として構成された液晶パネル用の照明装置であって、導光板の並列配置される方向と平行な方向に伸びる第一の光学構造が形成された第一の透明シートが導光板の裏面に貼り付けられ、光源の光軸方向に伸びる第二の光学構造が形成された第二の透明シートが導光板の表面に貼り付けられて、複数の導光板が前記第一および第二の透明シートにより連結されて一体化されたものでもある。
【００１２】
さらに、この発明係る液晶表示装置は、導光板と、導光板の側面に対向して配置された個別に点灯可能な光源とからなる組が並列配置されてひとつの面光源として構成された液晶パネル用の照明装置であって、液晶パネルの表示エリアの外の領域であって、光源と対向する導光板の入光面または導光板の裏面若しくは表面の少なくともいずれか一面に、複数の導光板を連結するための透明シートが貼り付けられて一体化され、導光板の裏面に貼り付けられる透明シートは、導光板の並列配置される方向と平行な方向に伸びる第一の光学構造を備え、導光板の表面に貼り付けられる透明シートは、光源の光軸方向に伸びる第二の光学構造を備えるでもある。
【発明の効果】
【００１３】
この発明に係る液晶表示装置は、上記のように構成したことにより、液晶パネルの応答の遅れによる「ゴースト」の発生や輝度の面内差が無視できるほど少なくなる。そのため、高画質な動画表示が可能なアクティブマトリックス型液晶表示装置を提供することが可能となる。
【図面の簡単な説明】
【００１４】
【図１】本発明の実施の形態１に係わる照明装置の鳥瞰図である。
【図２】本発明の実施の形態１に係わる照明装置の導光板の平面図である。
【図３】本発明の実施の形態１に係わる照明装置の導光板の側面図である。
【図４】本発明の実施の形態１に係わる照明装置の導光板の側面図である。
【図５】本発明の実施の形態１に係わる照明装置の輝度分布のシミュレーション結果を示す図である。
【図６】本発明の実施の形態１に係わる照明装置の輝度分布のシミュレーション結果を示す図である。
【図７】本発明の実施の形態２に係わる照明装置の導光板の側面図である。
【図８】本発明の実施の形態２に係わる照明装置の裏面貼り付けシートの状況を説明するための断面模式図である。
【図９】本発明の実施の形態３に係わる照明装置の導光板の側面図である。
【発明を実施するための形態】
【００１５】
実施の形態１．
まず、本発明の照明装置の全体構成について、図面を参照しながら液晶表示装置に組み込まれた場合を例にして説明する。図１は、この発明の実施の形態１に係る照明装置を液晶表示装置に組み込んだ構成を示す鳥瞰図である。特記する場合を除いて、液晶表示装置の全体構成は全ての実施の形態において共通である。また、同一の符号を付したものは、同一またはこれに相当するものであり、このことは明細書の全文において共通することである。
【００１６】
図１を参照して、本実施の形態に係わる照明装置は、サイドエッジ光源配置型のバックライトであり、3つに分割された導光板１０a、１０b、１０cと、導光板１０a、１０b、１０cの側面に各々配置された光源３a、３b、３cと、導光板１０a、１０b、１０cの液晶パネル２側の表面に貼り付けられた出光面貼り付けシート１２と、プリズムシート４、および反射シート５とから構成されている。出光面貼り付けシート１２の大きさは、有効表示エリアをカバーするサイズである。
【００１７】
つぎに、本実施の形態に係わる照明装置について、図２、３、４を参照しながらさらに詳述する。図２は、照明装置を平面図である。また、図３は照明装置の側面図であって、図２中の矢線III方向からみた側面図である。図４は照明装置の側面図であって、図２中の矢線IV方向からみた側面図である。
【００１８】
図２に示すように、導光板１０a、１０b、１０cの光源３a、３b、３cと対向する入光面には、入光面光学構造１６が形成されている。具体的には、導光板３a、３b、３cの厚さ方向に伸びるプリズムやシリンドリカルレンズ形状である。図３を参照して、導光板１０a、１０b、１０cの液晶パネル２と反対側の底面には第一の光学構造である底面光学構造１７が形成されている。底面光学構造１７は、例えば、導光板１０a、１０b、１０cの入光面に平行な方向に伸びるプリズムやシリンドリカルレンズ面である。
【００１９】
また、図４に示すように、出光面貼り付けシート１２では、透明樹脂でできた基材フィルム１２２の液晶パネル２側の表面に第二の光学構造である光学構造１２３が付形されている。ここでは、光源３方向に伸びるシリンドリカルレンズ形状である。光学構造１２３は、ＵＶ硬化樹脂を用いたロール成形、熱硬化樹脂を用いたロール成形などの方法で形成できる。基材フィルム１２２の裏面側には粘着層１２２が形成されており、導光板１０a、１０b、１０cに張りつけて、導光板１０a、１０b、１０cとともに一体化されている。ここでは、導光板１０a、１０b、１０cと基材フィルム１２２と光学構造１２３と粘着層１２２のそれぞれの屈折率を幅０.１以内で揃えている。これは、不要な界面反射を抑制するためである。
【００２０】
つぎに、本形態の照明装置における光の伝播状況について説明する。上述したように、本発明の照明装置は図２のように構成されているため、例えば、一つの分割導光板１０aに対応するLED光源３aから分割導光板１０aに入射した光Laは、導光板１０a内を伝播する際に導光板１０aの底面光学構造１７や出光面光学構造１２２と衝突するが、底面光学構造１７は導光板１０aの入光面に平行に伸びる柱状の２次元構造体であり、出光面光学構造１２２は光源方向に伸びる柱状の２次元構造体であるため光の進行角度を入光面と平行方向に大きく曲げることがない。このため、導光板１０bと向かい合う側面では内面全反射をおこなうため、導光板１０aの中を伝播し隣の導光板１０ｂに伝播しない。
【００２１】
ここで、底面光学構造１７が球面状構造体の場合は、光Laの進行角度が反射の際に入光面平行方向に大きく曲がる可能性がある。この場合は、導光板１０bと向かい合う側面で内面全反射をおこさないで通過し、隣の導光板１０ｂに伝播してしまう。そのため、コントラストの高い帯状の点灯領域が形成されなくなる。
【００２２】
光源３aから出て導光板１０aに入射した光Lｂは、導光板１０aの入光面光学構造１６と裏面面光学構造１７と出光面貼り付けシート１２の光学構造１２３により光の進行方向を変えられて、導光板１０aの入光面近傍から導光板３a内にムラ無く広がり、出光面貼り付けシート１２の表面から均一に放射される。導光板３aから放射された光は、光学シート４により集光されて液晶パネル２を照明する。
【００２３】
そして、光源３a、３b、３cの選択的な点灯を行うことより導光板１０a、１０b、１０c上の領域を選択的に照らす分割照明が可能になる。このとき、光源３a、３b、３cの発光量を適宜調整することにより、液晶パネル２の全面をほぼ同じ明るさに照明できる。ここで、複数の導光板１０a、１０b、１０cが出光面貼り付けシート１２により固定されているので、輸送中の振動や熱膨張収縮により導光板１０a、１０b、１０c間の隙間が大きく開き、暗線として視認されてしまうことが無い。
【００２４】
さらに、発明者らは光学シミュレーションを用いて輝度分布の検討を行い、出光面貼り付けシート１２に表面が平坦な透明シートを用いると、導光板内の光の分布が悪化してしまうことを見出した。この対策として、出光面貼り付けシート１２の出光面に光学構造１２３を付形している。以下、詳細に説明する。
【００２５】
光学計算を行った構造モデルは、導光板１０a、１０b、１０cは幅１４ｍｍ、長さ６０ｍｍ、厚さは０．５ｍｍである。導光板１０a、１０b、１０cの光源３a、３b、３cと対向する入光面には、入光面シリンドリカルレンズ（半径  ３０μｍ  高さ２０μｍ,  ピッチ  １００μｍ）が形成され、底面には反射プリズム（頂角１７５度,ピッチ１００μm）が形成されているものである。導光板１０a、１０b、１０cは、それぞれ、間隔０．１ｍｍを設けて、出光面貼り付けシート１２で一体化されている。たとえば、この隙間の間隔は結露などにより分割された導光板が光学的に密着することを防ぐためのもので、これを実際の製造工程で確保するために、導光板１０a、１０b、１０cの側面に高さ０．０１〜０．０５mm程度の突起を予め形成することも有効である。出光面貼り付けシート１２の光学構造１２３は、光源３a、３b、３c方向に伸びる半径４０μｍ、ピッチ６０μｍのシリンドリカルレンズである。光源３a、３b、３cは、導光板１０a、１０b、１０cに対し、それぞれ2個ずつ配置されている。
【００２６】
つぎに、本実施形態の照明装置の光学シミュレーション結果を図５に示す。図５は、導光板の入光面から１０mmの位置での斜め15度方向の輝度分布であり、出光面貼り付けシート１２の表面が平坦な場合と、シリンドリカルレンズを付形した場合の比較を行っている。
【００２７】
出光面貼り付けシートの１２の表面が平坦な場合は、光源の数に対応した大きな輝度の変動と、導光板１０a、１０b、１０cの端面を反映した3つのピークが現れている。これに対し、出光面貼り付けシート１２の表面にシリンドリカルレンズを付形した場合は、滑らかな輝度分布が実現されている。
【００２８】
さらに、出向面貼り付けシート１２の光学構造１２３は分割導光板１０a、１０b、１０cの形状に関係なく出向面貼り付けシート１２の全面に連続的に形成されているので、分割導光板１０a、１０b、１０cの境界を見えにくくする効果があると期待される。
【００２９】
また、所定の厚さのフィルムを伝わって、導光板間の光の混入が適度に確保されるため、点灯領域毎のLED間の輝度と色の違いが、点灯エリアの輝度と色の違いとして視認されてしまうことが緩和される。
【００３０】
続いて、出光面貼り付けシート１２の表面にシリンドリカルレンズを付形した場合の帯状の点灯エリアの輝度分布のシミュレーション結果を図６に示す。これは、中央の分割導光板１０bに対応する光源３ｂを消灯し、両端の導光板１０a、１０cに対応する光源３aと３cを点灯した場合の正面方向輝度の相対分布の計算結果である。導光板の入光面から２０ｍｍ、４０ｍｍ、６０ｍｍと入光部から遠ざかるにつれて、本来輝度が０のはずの中央部の輝度は次第に高くなるが、入光部から６０ｍｍの地点においても２０％程度であり、分割導光板１０a、１０b、１０cに対応する帯状の点灯エリアが実現できることがわかる。
【００３１】
なお、分割導光板１０a、１０b、１０c間の光の混入をより少なくするためには、出光面貼り付けシート１２の厚さの分割導光板１０a、１０b、１０cの厚さに対する比を小さくすれば良い。また、ここでは出光面貼り付けシート１２の光学構造１２３として、光源方向に伸びるシリンドリカルレンズを形成した例を説明したが、これに限るものではなく、光源方向に伸びる光学構造であれば断面形状が円形や三角形や多角形でも同様に輝度分布を滑らかにする効果があり、かつ、導光板１０a、１０b、１０c間の境界を見えにくくする効果がある。
【００３２】
また、出光面貼り付けシート１２のサイズが、有効表示エリアを全面覆っているため、継ぎ目の無く一様に出光面貼り付けシート１２の光学構造が存在するため、滑らかな表示品位が期待される。
【００３３】
以上をまとめると、
（１）一つの分割導光板に対応するLED光源から、分割導光板に入射した光は、その導光板の中を伝播し、隣の導光板に伝播しないため帯状の分割照明が可能になる。
（２）しかも複数の導光板が透明フィルムにより固定されているので、輸送中の振動や熱膨張収縮により導光板間の隙間が大きく開き導光板間の境界が暗線として視認されてしまうことが無い。
（３）導光板出向面の光学構造はフィルムの表面に形成されているため、分割された導光板の端部において中央部と異なったり、隣り合う導光板の光学構造とずれることが無いため、導光板間の境界が暗線や輝線として視認されてしまうことが抑制される。
（４）所定の厚さのフィルムを伝わって、導光板間の光の混入が適度に確保されるため、点灯領域毎のLED間の輝度と色の違いが、点灯エリアの輝度と色の違いとして視認されてしまうことが緩和される。
したがって、液晶パネルの応答の遅れによる「ゴースト」の発生や輝度の面内差が無視できるほど少なく、高画質な動画表示が可能なアクティブマトリックス型液晶表示装置を実現できる。
【００３４】
実施の形態２．
図７に本実施の形態２の照明装置の導光板の断面図を示す。本形態の照明装置は、サイドエッジ光源配置型のバックライトであり、3つに分割された導光板１０ｄ、１０e、１０fと、光源３a、３b、３cと、導光板１０ｄ、１０e、１０fの液晶パネル２側の表面に貼り付けられた出光面貼り付けシート１２と、裏面貼り付けシート１１から構成されている。
【００３５】
本実施の形態２は、裏面貼り付けシート１１の構成が実施の形態１と異なる他は実施の形態１と同様の構成である。そのため、以下に説明する本実施形態に特有の構成に起因する効果の他は、実施の形態１と同様の上記（１）〜（４）の効果を奏する。
【００３６】
図８を参照しながら、さらに詳細に説明する。図８において、裏面貼り付けシート１１では、透明樹脂でできた基材フィルム１１２の液晶パネル２と反対側の表面に光学構造１１３が付形されている。例えば、導光板１０ｄ、１０e、１０fの入光面に平行な方向に伸びるプリズムや半球状面である。光学構造１１３は、ＵＶ硬化樹脂を用いたロール成形、熱硬化樹脂を用いたロール成形などの方法で形成できる。基材フィルム１１２の反対面側には粘着層１１２が形成されており、導光板１０d、１０e、１０fに張りつけて一体化されている。
【００３７】
上述した実施の形態１と同様に、本形態の照明装置においてもLED光源３a等から分割導光板１０a等に入射した光Laは割導光板１０a等を伝播し、出光面貼り付けシート１２の表面から均一に放射される。また、光源３a、３b、３cの選択的な点灯を行うことより導光板１０ｄ、１０e、１０f上の領域を選択的に照らす帯状の分割照明が可能になる。
【００３８】
ここで、実施の形態２に係る照明装置では複数の導光板１０ｄ、１０e、１０fが出光面貼り付けシート１２と裏面貼り付けシート１１により固定されているので、実施例１よりもさらに高い信頼性で、輸送中の振動や熱膨張収縮により導光板１０ｄ、１０e、１０f間の隙間が大きく開き、暗線として視認されてしまうことが無い。
【００３９】
さらに、裏面貼り付けシート１１の光学構造１１３は分割導光板１０ｄ、１０e、１０fの形状に関係なく裏面貼り付けシート１１の全面に連続的に形成されているので、分割導光板１０ｄ、１０e、１０fの境界を見えにくくする効果が実施例１よりも高いと期待される。
【００４０】
さらに、分割導光板１０ｄ、１０e、１０fを、平板材料から切り出して製造することが可能になり、射出成形を用いるよりも製造コストを削減できる効果も期待できる。
【００４１】
実施の形態３．
図９に本実施の形態３の照明装置の導光板の側面図を示す。本形態の照明装置も、上述した実施の形態１と同様のサイドエッジ光源配置型のバックライトであり、3つに分割された導光板１０ｇ、１０ｈ、１０iと、光源３a、３b、３cから構成されている（導光板１０ｈ，１０i、光源３b，３cは図示せず）。しかし、本実施の形態３では、導光板１０ｇ、１０ｈ、１０iの有効表示エリアの外側の箇所において、導光板１０ｇ、１０ｈ、１０iの液晶パネル２側の表面の光源側と反対側にそれぞれ出光面貼り付け帯シート１３、１４が貼り付けられ、裏面には光源側と反対側にそれぞれ裏面貼り付け帯シート１５、１６、が貼り付けられている。さらに、導光板１０ｇ、１０ｈ、１０iの入光面には光学構造を付形された入光部貼り付け帯シート１７が貼り付けられている。これにより、分割導光板１０ｇ、１０ｈ、１０iは一体化されている。
【００４２】
ここで、出光面貼り付け帯シート１３には、光源３方向に伸びるシリンドリカルレンズ形状の光学構造が付形されており、裏面貼り付け帯シート１５の底面光学構造１１３は導光板１０a、１０b、１０cの入光面に平行な方向に伸びるプリズムやシリンドリカル面である。入光面貼り付けシート１７の光学構造は、導光板１０ｇ、１０ｈ、１０iの厚さ方向に伸びるプリズムやシリンドリカルレンズ形状である。
【００４３】
導光板１０a、１０b、１０ｃの有効表示エリア相当領域において、出光面側には、出光面貼り付け帯シート１３と同様の、光源３方向に伸びるシリンドリカルレンズ形状の光学構造が付形されており、裏面側には裏面付け帯シート１５の底面光学構造１１３と同様の導光板１０a、１０b、１０cの入光面に平行な方向に伸びるプリズムやシリンドリカル面が形成されている。
【００４４】
本形態の照明装置も、上述した実施の形態１と同様のサイドエッジ光源配置型のバックライトであり、同様に光源３a、３b、３cの選択的な点灯を行うことより導光板１０ｇ、１０ｈ、１０i上の領域を選択的に照らす帯状の分割照明が可能になる。
【００４５】
ここで、複数の導光板が１０ｇ、１０ｈ、１０i出光面貼り付け帯シート１３，１４と裏面貼り付け帯シート１５、１６、さらに入光面貼り付けシート１７により固定されているので、輸送中の振動や熱膨張収縮により導光板１０ｄ、１０e、１０f間の隙間が大きく開き、暗線として視認されてしまうことが無い。
【００４６】
さらに、出光面貼り付け帯シート１３、１４、裏面貼り付け帯シート１５、１６、入光部貼り付け帯シート１７は帯状であるので、貼り付け作業は実施の形態１や２と比較して簡単になるという効果がある。
【００４７】
また、一体化の効果は、出光面貼り付け帯シート１３、１４、裏面貼り付け帯シート１５、１６、入光部貼り付け帯シート１７すべてが必要でなく、状況により少なくともいずれか一つを設ければ導光板一体化の効果が期待できる。
【００４８】
さらに、本実施の形態３は、裏面貼り付けシートおよび出光面貼り付け帯シートの構成が実施の形態１と異なる他は実施の形態１と同様の構成である。そのため、上述した本実施形態に特有の構成に起因する効果の他は、実施の形態１と同様の上記（１）〜（４）の効果を奏する。
【００４９】
なお、上述した実施の形態はすべての点で例示であって制限的なものではないと解されるべきである。本発明の範囲は、上述した実施形態の範囲ではなく、特許請求の範囲によって示され、特許請求の範囲と均等の意味および範囲内でのすべての変更を含むものである。
【符号の説明】
【００５０】
１導光板、
２液晶パネル、
３光源、
４光学シート、
５反射シート、
１０分割導光板、
１１裏面貼り付けシート、
１２出光面貼り付けシート、
１１２基材フィルム、
１２３光学構造、
１１３光学構造、
１１２粘着層、
１２２粘着層。
【図１】
2012004071.tif 000003
【図２】
2012004071.tif 000004
【図３】
2012004071.tif 000005
【図４】
2012004071.tif 000006
【図５】
2012004071.tif 000007
【図６】
2012004071.tif 000008
【図７】
2012004071.tif 000009
【図８】
2012004071.tif 000010
【図９】
2012004071.tif 000011